(57)【要約】【課題】室内機内部を長期的に清潔に保ち、快適な室内環境を実現する。【解決手段】本発明に係る空気調和機は、熱交換器と、熱交換器で熱交換するように送風する貫流ファンと、貫流ファンからの気流を案内する風路を形成するケーシング部と、ケーシング部と連続して配置された吹出口と、吹出口から吹き出される吹出風の上下方向を制御する上下風向板と、吹出口から吹き出される吹出風の左右方向を制御する左右風向板を備え、ケーシング部と連続して配置された吹出口にマイナスイオン発生装置が配置され、ケーシング部に金属板が配置され、この金属板にマイナス電位が印加される。このような本発明によれば、マイナス電荷を帯びた黴胞子などを含む塵埃はマイナス電位が印加された金属板と反発するため、ケーシング部への当該塵埃の堆積を抑制でき、従って、室内機内部を長期的に清潔に保ち、快適な室内環境を実現することができる。【選択図】  図４
2012002409.tif 000002
【特許請求の範囲】
【請求項１】
熱交換器と、前記熱交換器で熱交換するように送風する貫流ファンと、前記貫流ファンからの気流を案内する風路を形成するケーシング部と、前記ケーシング部と連続して配置された吹出口と、前記吹出口から吹き出される吹出風の上下方向を制御する上下風向板と、前記吹出口から吹き出される吹出風の左右方向を制御する左右風向板と、を備え、前記ケーシング部と連続して配置された前記吹出口に、マイナスイオン発生装置が配置され、前記ケーシング部に金属板が配置され、前記金属板にマイナス電位が印加される空気調和機。
【請求項２】
請求項１において、前記ケーシング部の金属板をＳＵＳ３０１，ＳＵＳ３０４，ＳＵＳ３０５，ＳＵＳ３１０Ｓ，ＳＵＳ３１６，ＳＵＳ３２１の少なくとも何れかとした空気調和機。
【発明の詳細な説明】
【技術分野】
【０００１】
本発明は空気調和機に関する。
【背景技術】
【０００２】
空気調和機は、室内空気を熱交換器に循環させて、加熱，冷却または除湿した調和空気にし、これを室内に吹き出すことにより室内環境を快適なものとする。このとき、循環空気中の塵埃を除去するフィルタを熱交換器の吸い込み側に配置するので、循環空気中の塵埃はフィルタで大半が捕集されるが、その一部はフィルタの網目を潜って空気調和機の内部に入る。この塵埃は、空気調和機内の風路に面した壁面に衝突し、跳ね返されて再び気流中に戻る。気流中に戻った塵埃は空気調和機の吹出口から室内に戻る。
【０００３】
しかしながら、一部の塵埃は、静電気的な力，重力の作用，化学的な親和力などの影響で、跳ね返されずに空気調和機室内機の壁面に付着する。壁面に付着した塵埃は、比較的短時間のうちに気流その他の影響で壁面から剥離し、気流に乗って空気調和機の外に運び出されるが、空気調和機の使用環境として、湿気の多い時期による水分や、調理時に発生する油煙，喫煙による煙などの影響により、長時間壁に付着し続ける場合がある。
【０００４】
付着してから長時間経過すると、塵埃の種類によっては、物理化学的に変化し、付着力を増したり、塵埃に含まれるカビなどの菌類が成長し、その分泌物や菌糸などで壁に強固に付着するようになる。このようになると付着した塵埃で壁面の凹凸が大きくなったり、分泌物の粘性で空気中の塵埃が更に壁に付着し易くなると共に、菌類から悪臭が生じたり、カビ等の胞子が飛散するなどして室内の環境を悪化させる。
【０００５】
空気調和機内部の防汚，抗菌を目的とした従来の空気調和機が、特開２０００−３２０８５４号公報（特許文献１）に開示されている。特許文献１に開示の空気調和機は、室内機本体内部に紫外線ランプを設置するとともに、通風路の壁面となる吸込口グリル，室内機本体の内壁面、及び送風ファンの背面側に位置する導風板（ケーシング部）に光触媒を担持させることにより、紫外線ランプにより光触媒に十分に紫外線が照射されるので、十分な光触媒作用により効果的な脱臭，防汚、及び抗菌などの機能を達成することを開示している。
【先行技術文献】
【特許文献】
【０００６】
【特許文献１】特開２０００−３２０８５４号公報
【発明の概要】
【発明が解決しようとする課題】
【０００７】
特許文献１では、室内機内部に紫外線ランプを設け、通風路壁面の吸込口グリルや送風ファンの背面側の導風板に光触媒を担持させ、室内空気の脱臭や室内機本体内部の抗菌を行う。しかしながら、空気調和機の夏季の冷房，除湿運転時の本体内部の湿気による埃の貼りつき、冬季暖房時の静電気，調理時に発生する油煙などにより埃が堆積した場合、光触媒に接した埃か紫外線ランプの紫外光が届く埃にしか抗菌作用を発揮させることができず、長期間の使用により、室内機内部はカビ等の雑菌が繁殖する可能性がある。さらに、紫外線ランプを搭載することより、コストアップや紫外光による樹脂劣化対策が必要となる。
【０００８】
本発明が解決しようとする課題は、室内機内部を長期的に清潔に保ち、快適な室内環境を実現することにある。
【課題を解決するための手段】
【０００９】
上記目的を達成するために本発明に係る空気調和機は、熱交換器と、熱交換器で熱交換するように送風する貫流ファンと、貫流ファンからの気流を案内する風路を形成するケーシング部と、ケーシング部と連続して配置された吹出口と、吹出口から吹き出される吹出風の上下方向を制御する上下風向板と、吹出口から吹き出される吹出風の左右方向を制御する左右風向板とを備え、ケーシング部と連続して配置された吹出口にマイナスイオン発生装置が配置され、ケーシング部に金属板が配置され、この金属板にマイナス電位が印加される。
【発明の効果】
【００１０】
本発明によれば、室内機内部に塵埃が付着しにくく、室内機内部を長期的に清潔に保ち、快適な室内環境を実現することができる。
【図面の簡単な説明】
【００１１】
【図１】空気調和機の構成図。
【図２】室内機の側断面図。
【図３】室内機の斜視図。
【図４】室内機の構成図。
【図５】ケーシング部金属板取付図。
【発明を実施するための形態】
【００１２】
以下、本発明の実施例について図面を用いて説明する。まず、本実施例の空気調和機１の全体構成を、図１，図２，図３を用いて説明する。図１は本実施例の空気調和機１の構成図、図２は図１の室内機２の側断面図、図３は室内機２の斜視図である。
【００１３】
図１において、空気調和機１は、室内機２と室外機３とを接続配管５で繋いで構成され、室内を空気調和する。室内機２の筐体９には貫流ファン１４，フィルタ１５，１５′，熱交換器１６，露受皿１７，上下風向板１８，左右風向板１９等の基本的な内部構造体が取り付けられる。そして、筐体９の内側に取り付けられた貫流ファン１４等の基本的な内部構造体は、化粧枠８を取り付けることにより室内機２内に内包される。化粧枠８の前面には前面パネル７が取り付けられる。前面パネル７の下方には運転状況を表示する表示部１１と、別体のリモコン１２からの赤外線の操作信号を受ける受光部１０とが配置される。
【００１４】
図２において、貫流ファン１４を作動することにより空気は白抜き矢印のように流れ、通過する空気中の塵埃はフィルタ１５，１５′に捕集される。フィルタ１５，１５′は、吸い込まれた室内空気中に含まれる塵埃を取り除くためのものであり、熱交換器１６の吸込側を覆うように配置される。貫流ファン１４は、室内空気を空気吸込口６から吸い込んで、吹出風路２０を通過し、空気吹出口１３から吹き出すように室内機２内の中央に配置される。熱交換器１６は貫流ファン１４の吸込側に配置され、略逆Ｖ字状に形成される。
【００１５】
通過する空気は、室内空間の絨毯やカーテン，衣類などから発生する糸埃や、室外からの浸入砂や土埃，ペットから発生する抜け毛など比較的大きな塵埃の他、冬季に発生し蔓延するインフルエンザウイルスや、近年の高気密住宅化に伴い発生した黴から飛散する黴胞子や菌なども含有する。これらの塵埃の大半はフィルタ１５，１５′で捕らえられ、フィルタ１５，１５′に捕らえられた塵埃は、掃除ブラシ２５により取り除かれる。具体的には、室内機正面の右端に位置する掃除ブラシ２５がフィルタ１５，１５′上の塵埃を掻き取るように塵埃収納ボックス２４側へ移動し、室内機左端に位置する塵埃収納ボックス２４へ掃除ブラシ２５が掻き取った塵埃を収納する。室内機２が一定時間稼働する毎に掃除ブラシ２５によりフィルタ１５，１５′上の埃は取り除かれ、常に清潔に保たれる。しかし、前述したウイルスや黴胞子などの塵埃は大きさが２〜１５μｍ程度で非常に微細であり、フィルタ１５，１５′の網目である約６０μｍを潜り抜けて通過してしまう。
【００１６】
従来の空気調和機にあっては、フィルタ１５，１５′を通過した黴胞子などは、夏季には、冷房や除湿運転で高湿環境下となった室内機２内部の熱交換器や、通過空気が接触する室内機２内部の最下流に位置して吹出風を形成させるケーシング部２２に付着する。また、冬季には、乾燥した状況下による暖房運転により樹脂壁面が帯電し、特にケーシング部２２へ静電気力により塵埃が付着する。
【００１７】
このように夏季と冬季の運転の繰り返しにより塵埃は徐々に堆積し、塵埃に含まれる黴胞子が夏季の高温高湿環境によって発芽し黴が発生する。黴が発生すると、空気調和機の運転時に黴臭さを感じさせるなどの問題を生じる。従って、室内機２に発生する黴を防止することは、室内機２内部を長期的に清潔に保ち、クリーンな吹出風により快適な室内環境を実現するために非常に重要である。特に、黴発生の温床となる通過空気の最下流部のケーシング部２２に、塵埃を付着，堆積させないことが重要な課題となる。
【００１８】
この課題を解決するための本実施例の空気調和機を図４，図５に示す。図４は室内機の構成図、図５はケーシング部金属板取付図である。埃の付着や堆積で問題となるケーシング部２２には、ケーシング部２２の湾曲形状に沿った金属板２６を取り付け、ケーシング部２２と連続して配置された空気吹出口１３に静電霧化装置５０を備える。静電霧化装置５０は、高電圧発生装置２９と、高電圧発生装置２９の高電圧端子３１から伸びる導電体３２と、吸水時に導電体３２に電気的に接触する吸水材３３と、霧化電極３４及びイオン電極３５と、空気中の水分を結露させるペルチェ素子などで構成される。ペルチェ素子４０により結露した空気中水分は吸水材３３を介して霧化電極３４に供給される。具体的には、ペルチェ素子４０により結露した空気中水分を吸水材３３に浸透させ、高電圧発生装置２９により−６ｋＶの高電圧を印加することで、吸水材３３に接する霧化電極３４先端から帯電微細水滴が放出するとともに、高電圧発生装置２９により−６ｋＶの高電圧を印加することで、イオン電極３５からマイナスイオンを発生する。尚、本実施例ではマイナスイオンを発生するイオン電極３５を有するマイナスイオン発生装置をも備えた静電霧化装置としたが、霧化電極３４などの静電霧化機能は備えずに、マイナスイオンを発生するイオン電極３５や高電圧発生装置２９などのみを備えたマイナスイオン発生装置を備えるようにしてもよい。
【００１９】
ここで、本実施例においては、導電体３２を途中で分岐させ、金属板２６に接続することにより、金属板２６にマイナス電位を印加する。金属板２６にマイナス電位を印加することにより、空気吹出口１３から放出された多量のマイナスイオンは空気中を漂うプラスに帯電しやすい糸埃などの塵埃に結合し、この塵埃はマイナス電荷を帯びたまま室内機２の空気吸込口６へと戻る。ここで塵埃の大半はフィルタ１５，１５′により捕捉されるが、微細な黴胞子などはさらに下流へと流れる。このとき従来の樹脂のケーシング部２２ではこの微細な黴胞子や埃などが付着してしまう。しかしながら、本実施例のケーシング部２２に配置された金属板はマイナス電位となるため、マイナス電荷を帯びた微細な黴胞子や埃は反発して付着しづらくなり、ケーシング部２２への埃の堆積を抑制することができる。このためケーシング部２２での黴の発生を抑制することができ、室内機２内部を清潔に保つことができる。
【００２０】
一方、金属板２６は高電圧端子３１から伸びる導電体３２と接続され高電圧がかかるが、貫流ファン１４の後方部に金属板２６を配置し、且つ、空気調和機内部（風路）に手が入らないように、金属板２６の下流側に左右風向板１９及び上下風向板１８を配置することで安全性を確保することができる。
【００２１】
ケーシング部２２へ取り付ける金属板２６は、特にニッケル成分を含むオーステナイト系ステンレスのＳＵＳ３０１，ＳＵＳ３０５，ＳＵＳ３１０Ｓ，ＳＵＳ３１６，ＳＵＳ３２１が好ましく、より好ましくは家電製品などで多量に使用され広く流通しているＳＵＳ３０４が好ましい。金属板２６をこのようなステンレス材とすることにより、塵埃が付着した場合でもステレンス材から溶出したニッケル成分が作用し抗菌，防黴性を発揮し、黴発生を抑制するので、室内機２内部を清潔に保つことができる。
【００２２】
以上説明したように本発明に係る空気調和機は、熱交換器と、熱交換器で熱交換するように送風する貫流ファンと、貫流ファンからの気流を案内する風路を形成するケーシング部と、ケーシング部と連続して配置された吹出口と、吹出口から吹き出される吹出風の上下方向を制御する上下風向板と、吹出口から吹き出される吹出風の左右方向を制御する左右風向板とを備え、ケーシング部と連続して配置された吹出口にマイナスイオン発生装置が配置され、ケーシング部に金属板が配置され、この金属板にマイナス電位が印加される。このような本発明によれば、マイナス電荷を帯びた黴胞子などを含む塵埃はマイナス電位が印加された金属板と反発するため、ケーシング部への当該塵埃の堆積を抑制でき、従って、室内機内部を長期的に清潔に保ち、快適な室内環境を実現することができる。
【符号の説明】
【００２３】
１  空気調和機
２  室内機
３  室外機
５  接続配管
６  空気吸込口
７  前面パネル
８  化粧枠
９  筐体
１０  受光部
１１  表示部
１２  リモコン
１３  空気吹出口
１４  貫流ファン
１５，１５′  フィルタ
１６  熱交換器
１７  露受皿
１８  上下風向板
１９  左右風向板
２０  吹出風路
２２  ケーシング部
２４  塵埃収納ボックス
２５  掃除ブラシ
２６  金属板
２９  高電圧発生装置
３１  高電圧端子
３２  導電体
３３  吸水材
３４  霧化電極
３５  イオン電極
４０  ペルチェ素子
５０  静電霧化装置
【図１】
2012002409.tif 000003
【図２】
2012002409.tif 000004
【図３】
2012002409.tif 000005
【図４】
2012002409.tif 000006
【図５】
2012002409.tif 000007